(57)【特許請求の範囲】
【請求項１】
電気機器への給電経路に設けられ器体の一面が取付基板に対向する形で取付基板に取り付けられる給電部品であって、器体において取付基板との対向面から突設され取付基板に形成された位置決め孔に挿入される位置決め用ボス部と、器体の側面に基端部が連結され且つ上記一面よりも取付基板側に突出し器体の側面に沿う方向に弾性を有する一対の取付脚とを備え、上記器体は、取付基板側のボディと該ボディに結合されるカバーとからなり、上記一対の取付脚は、上記ボディに設けられ、先端部に互いに離れる向きへ突設され取付基板に形成された取付孔に係合する係止爪がそれぞれ形成され、上記ボディは、上記一対の取付脚を器体側へ弾性変形可能とする切欠部が形成され、上記カバーは、取付基板側が開放された箱状であって、取付脚に対応する部位に器体の側面に沿う方向における取付脚の弾性変形可能な範囲を規制する切欠溝が形成されてなることを特徴とする給電部品。
【請求項２】
上記器体の側面から突設され上記一対の取付脚の基端部同士を連結する連結片を備えることを特徴とする請求項１記載の給電部品。
【請求項３】
上記取付脚は、器体を取付基板に取り付けた状態で取付基板における器体との対向面側で取付孔の周部に当接するがたつき防止用リブが側縁に突設されてなることを特徴とする請求項１又は請求項２記載の給電部品。
【発明の詳細な説明】
【０００１】
【発明の属する技術分野】
本発明は、電気機器への給電経路に設けられ器体の一面が取付基板に対向する形で取付基板に取り付けられる給電部品に関するものである。
【０００２】
【従来の技術】
従来より、電気機器への給電経路に設けられ器体の一面が取付基板に対向する形で取付基板に取り付けられる給電部品として特開平２−２８３９０９号公報に記載されたものが知られている。この公報に記載された給電部品は照明器具の器具本体に設けられる端子台であって、図４に示すように、金属製の取付基板４０に形成された円形の取付孔４１’に、器体１から金属製の取付板４０に向かって突設され器体１の側面に沿う方向に弾性を有する一対の取付脚１５ａ，１５ａを挿通し、一対の取付脚１５ａ，１５ａの先端部から互いに離れる向きに突設された係止爪１５ｂ，１５ｂを取付孔４１’の周縁に係止することにより、取付基板４０に取り付けられるようになっている。
【０００３】
ところで、この種の給電部品において取付基板４０に平行な面内における器体１のがたつきを防止する手段としては、器体１における取付基板４０との対向面に、取付基板４０に形成された位置決め孔（図示せず）に挿入される位置決め用ボス部を突設することが考えられる。
【０００４】
【発明が解決しようとする課題】
しかしながら、上述の給電部品では、各取付脚１５ａ，１５ａと器体１の側面との間に隙間がないので、上記位置決め孔に対する取付孔４１’の位置精度が悪い場合、器体１を取付基板４０に取り付け難いことがあった。例えば、取付脚１５ａ，１５ａを器体１側へ弾性変形させなければならないような位置に取付孔４１’が形成されてしまっている場合には、器体１の側面に取付脚１５ａ，１５ａが当接してしまい取り付けることができなかったり、取付脚１５ａ，１５ａが破損してしまう恐れがあった。逆に、器体１の寸法精度が悪く取付脚１５ａ，１５ａの位置が取付孔４１’の位置に対してずれている場合にも、器体１を取付基板４０に取り付け難いことがあった。
【０００５】
本発明は上記事由に鑑みて為されたものであり、その目的は、取付基板への取り付けに際して取付基板に形成された取付孔に対する取付脚の位置精度の影響を受けにくい給電部品を提供することにある。
【０００６】
【課題を解決するための手段】
請求項１の発明は、上記目的を達成するために、電気機器への給電経路に設けられ器体の一面が取付基板に対向する形で取付基板に取り付けられる給電部品であって、器体において取付基板との対向面から突設され取付基板に形成された位置決め孔に挿入される位置決め用ボス部と、器体の側面に基端部が連結され且つ上記一面よりも取付基板側に突出し器体の側面に沿う方向に弾性を有する一対の取付脚とを備え、上記器体は、取付基板側のボディと該ボディに結合されるカバーとからなり、上記一対の取付脚は、上記ボディに設けられ、先端部に互いに離れる向きへ突設され取付基板に形成された取付孔に係合する係止爪がそれぞれ形成され、上記ボディは、上記一対の取付脚を器体側へ弾性変形可能とする切欠部が形成され、上記カバーは、取付基板側が開放された箱状であって、取付脚に対応する部位に器体の側面に沿う方向における取付脚の弾性変形可能な範囲を規制する切欠溝が形成されてなることを特徴とするものであり、取付脚を器体の側面に沿う方向以外に器体側へも弾性変形させることができるので、取付基板への取り付けに際して取付基板に形成された位置決め孔に対する取付孔の位置精度が悪い場合でも取付脚が弾性変形させることで器体を取付基板に容易に取り付けることができ、また、器体の寸法精度が悪く取付脚の位置が取付孔の位置に対してずれている場合にも、取付脚を弾性変形させることで器体を取付基板に容易に取り付けることができる。
【０００７】
また、請求項１の発明は、上記器体は、取付基板側のボディと該ボディに結合されるカバーとからなり、上記取付脚はボディに設けられているので、カバーの寸法ばらつきに影響されることなしに器体を取付基板へ取り付けることができる。
【０００８】
さらに、請求項１の発明は、上記カバーは、取付基板側が開放された箱状であって、取付脚に対応する部位に器体の側面に沿う方向における取付脚の弾性変形可能な範囲を規制する切欠溝が形成されているので、取付脚の破損を防止することが可能となる。
【０００９】
請求項２の発明は、請求項１の発明において、上記器体の側面から突設され上記一対の取付脚の基端部同士を連結する連結片を備えるので、取付脚だけでなく連結片の弾性変形も利用でき、相対的に取付脚の変形量を小さくすることで、取付脚の破損を防止することが可能となる。
【００１０】
請求項３の発明は、請求項１又は請求項２の発明において、上記取付脚は、器体を取付基板に取り付けた状態で取付基板における器体との対向面側で取付孔の周部に当接するがたつき防止用リブが側縁に突設されているので、器体を取付基板に取り付けた状態で上記一面に直交する方向における器体のがたつきを防止することができる。
【００１１】
【発明の実施の形態】
（実施形態１）
本実施形態の給電部品は、照明器具内に配設される端子台であって、図１および図２に示すように、前面側（図１における上面側）が開放された合成樹脂製のボディ１０と、後面側（図１における下面側）が開放された直方体状（箱状）であって後端縁がボディ１０の後面に略一致する形でボディ１０に結合される合成樹脂製のカバー２０とで器体１が構成される。ここにおいて、ボディ１０の両側面には前方ほどボディ１０からの突出量を小さくするように傾斜した誘導面１１ａが形成された組立爪１１が突設されており、カバー２０の周壁には上記組立爪１１が凹凸係合する組立孔２１が形成されている。したがって、ボディ１０にカバー２０を組み付けるときには、カバー２０の周壁が誘導面１１ａに沿って撓み、最終的に、カバー２０に設けた組立孔２１が組立爪１１に嵌合することによって、ボディ１０とカバー２０とが結合される。
【００１２】
ボディ１０には、図１に示すように、３つの端子板ブロック収納室１２，１３，１４が形成されている。このうちの２つの端子板ブロック収納室１２，１３には、それぞれ金属製の端子板ブロック５１，５１が納装され、残りの端子板ブロック収納室１４には、金属製のアース端子板ブロック５２が納装される。なお、アース端子板ブロック５２には、ボディ１０の後面側に配設される金属製のアース端子３０が電気的に接続される。
【００１３】
端子板ブロック５１は、カバー２０の前面に形成された電線挿通孔２６より挿入された電線が接続される端子板５３と、カバー２０の一側面に突設された肩部２４に形成された電線挿通孔２５より挿入された電線が接続される端子板５４とを備え、端子板５３と端子板５４とを連結片５５を介して連結してある。ここに、端子板５３は、矩形状の主片５３ｂの両端部それぞれに形成され電線挿通孔２６，２６より挿入された電線が内周面に当接する断面弧状の端子片５３ａ，５３ａと、電線挿通孔２６，２６より挿入された電線に弾接し各端子片５３ａ，５３ａそれぞれの内周面との間に電線を保持する接触片５６，５６と、電線挿通孔２６，２６より挿入された電線に食い込んで電線の抜け止めをする鎖錠片５７，５７とを備えている。さらに、各鎖錠片５７の先端縁からは後述の解錠片５８が連続一体に形成されている。なお、解錠片５８ａは鎖錠片５７よりも幅細に形成されている。
【００１４】
また、端子板５４は、断面Ｌ字状であって上記連結片５５に側縁が連結された端子片５４ａと端子片５４ａに略直交する立設片５４ｂとで構成され、立設片５４ｂは２つの開口部６０を有し、電線挿通孔２５より挿入され開口部６０を挿通された電線の抜け止めをする切り起こし片よりなる鎖錠片５９が開口部６０の内周面から一体形成されている。なお、ボディ１０には、カバー２０が結合された状態で電線挿通孔２５に連通する電線挿通孔１７が形成されている。
【００１５】
また、端子板ブロック５２は、カバー２０の前面に形成された電線挿通孔２６より挿入された電線（アース電線）が接続される端子板５３を備えている。ここに、端子板５３は、中央部に開口部５３ｄを有する矩形状の主片５３ｂ’の両端部それぞれに形成され電線挿通孔２６，２６より挿入された電線が内周面に当接する断面弧状の端子片５３ａ，５３ａと、電線挿通孔２６，２６より挿入された電線に弾接し各端子片５３ａ，５３ａそれぞれの内周面との間に電線を保持する接触片（端子板ブロック５１の接触片５６，５６と同じ）、電線挿通孔２６，２６より挿入された電線に食い込んで電線の抜け止めをする鎖錠片５７，５７とを備えている。さらに、各鎖錠片５７の先端縁からは後述の解錠片５８が連続一体に形成されている。また、端子板ブロック５２は、ボディ１０に納装された状態で、主片５３ｂ’の後端縁にアース端子３０の一端側の接触片３２が接触するようになっている。
【００１６】
なお、カバー２０の一部には、電線挿通孔２６の近傍部位を内側に押し込むことができる解除片２７が一体に形成されており、端子片５３ａと鎖錠片５７との間に電線を挟持した状態において、ドライバなどの冶具により解除片２７を内側に押し込むことによって、解除片２７で上記解錠片５８を押し込んで鎖錠片５７を撓ませることで鎖錠片５７を電線から離し、電線挿通孔２６から電線を容易に引き抜くことができるようになっている。
【００１７】
ところで、器体１は、器体１の後面が金属製の取付基板４０に対向して略当接する形で取り付けられる。ここに、取付基板４０には、器体１を取り付けるための矩形状の２つの取付孔４１，４１が所定距離だけ離間して形成され、取付基板４０において両取付孔４１，４１を結ぶ直線に略直交する直線上に３つの円形の位置決め孔４２が形成されている。
【００１８】
一方、器体１は、取付基板４０に形成された３つの位置決め孔４２の１つ（図１中の右側の位置決め孔４２）に挿入される円柱状の位置決め用ボス部１６（図２参照）がボディ１０における取付基板４０との対向面から突設されている。位置決め用ボス部１６は、先端部が先端に近づくほど外径が小さくなる形状に形成されているので、位置決め孔４２への挿入が容易である。また、器体１は、当該器体１の両側面それぞれに基端部が連結され且つ器体１の後面よりも取付基板４０側に突出し器体１の側面に沿う方向に弾性を有する各一対の取付脚１５ａ，１５ａを備えている。各一対の取付脚１５ａ，１５ａは、基端部側から先端部側にかけて両取付脚１５ａ，１５ａ間の距離が徐々に小さくなるように形成されており、先端部に互いに離れる向きに突設され取付基板４０に形成された取付孔４１に係合する係止爪１５ｂ，１５ｂが形成されている。ここにおいて、各取付脚１５ａは、ボディ１０に連続一体に形成されている。
【００１９】
さらに、一対の取付脚１５ａ，１５ａの基端部同士はボディ１０の各側面から側方へ連続一体に突設された連結片１５によって基端部同士が連結されている。また、各取付脚１５ａは、器体１の後面を取付基板４０に略当接させた形で取り付けた状態において取付基板４０における器体１との対向面側で取付孔４１の周部に当接するがたつき防止用リブ１５ｃが側縁に突設されている。
【００２０】
以上説明した器体１を取付基板４０に取り付けるにあたっては、各一対の取付脚１５ａ，１５ａを取付基板４０に形成された２つの取付孔４１にそれぞれ挿入して取付脚１５ａ，１５ａの先端部の係止爪１５ｂ，１５ｂを取付孔４１の周縁に係止するとともに、位置決め用ボス部１６を取付基板４０に形成された図１における右側の位置決め孔４２に挿入している。また、アース端子３０の他端側において折曲形成された接続片３１が図１中の左側の位置決め孔４２に挿入されて取付基板４０に電気的に接続される。
【００２１】
ところで、本実施形態における器体１は、ボディ１０の両側部における後面側に、各一対の取付脚１５ａ，１５ａをそれぞれ器体１側へ弾性変形可能とする切欠部１８，１８が形成されている。
【００２２】
しかして、本実施形態では、ボディ１０に上記切欠部１８，１８が形成されていることにより、各一対の取付脚１５ａ，１５ａが器体１側（器体１の側面に略直交する方向）へ弾性変形可能となり、図２における左側の一対の取付脚１５ａ，１５ａが右斜め下の向きへ弾性変形可能であり、同図における右側の一対の取付脚１５ａ，１５ａが左斜め上の向きへ弾性変形可能であるから、取付基板４０への取り付けに際して取付基板４０に形成された位置決め孔４２に対する取付孔４１の位置精度が悪い場合でも一対の取付脚１５ａ，１５ａを弾性変形させることで器体１を取付基板４０へ容易に取り付けることができる。また、器体１の寸法精度が悪く一対の取付脚１５ａ，１５ａの位置が取付孔４１の位置に対してずれている場合にも、一対の取付脚１５ａ，１５ａを弾性変形させることで器体１を取付基板４０へ容易に取り付けることができる。ここにおいて、各取付脚１５ａがボディ１０に設けられていることにより、カバー２０の寸法ばらつきや端子板ブロック５１，５２，５２などの導電金具の寸法ばらつきに影響されることなしに器体１を取付基板４０へ取り付けることができる。しかも、器体１を取付基板４０に取り付けた状態において取付基板４０における器体１との対向面側で取付孔４１の周部に当接するがたつき防止用リブ１５ｃが各取付脚１５ａの側縁に突設されているので、器体１を取付基板４０に取り付けた状態で前後方向（取付基板４０の厚み方向）における器体１のがたつきを防止することができる。
【００２３】
また、カバー２０には、一対の取付脚１５ａ，１５ａに対応する部位に器体１の側面に沿う方向における取付脚１５ａの弾性変形可能な範囲を規制する切欠溝２２が形成されているので、取付脚１５ａの破損を防止することが可能となる。また、一対の取付脚１５ａ，１５ａの基端部同士が連結片１５により連結されていることにより、取付脚１５ａ，１５ａだけでなく連結片１５の弾性変形も利用でき、相対的に取付脚１５ａ，１５ａの変形量を小さくすることで、取付脚１５ａ，１５ａの破損を防止することが可能となる。
【００２４】
（実施形態２）
本実施形態の給電部品の基本構成は実施形態１と略同じであって、図３に示すように、ボディ１０における取付基板４０との対向面において位置決め用ボス部１６が２つ設けられている点に特徴がある。ここにおいて、各位置決め用ボス部１６，１６は、３つの位置決め用孔４２のうちの両側の位置決め用孔４２それぞれに挿入される。したがって、本実施形態では、実施形態１に比べて、取付基板４０に対する器体１の位置決め精度が高くなるとともに位置決めが容易になる。なお、実施形態１と同様の構成要素には同一の符号を付して説明を省略する。
【００２５】
【発明の効果】
請求項１の発明は、電気機器への給電経路に設けられ器体の一面が取付基板に対向する形で取付基板に取り付けられる給電部品であって、器体において取付基板との対向面から突設され取付基板に形成された位置決め孔に挿入される位置決め用ボス部と、器体の側面に基端部が連結され且つ上記一面よりも取付基板側に突出し器体の側面に沿う方向に弾性を有する一対の取付脚とを備え、上記器体は、取付基板側のボディと該ボディに結合されるカバーとからなり、上記一対の取付脚は、上記ボディに設けられ、先端部に互いに離れる向きへ突設され取付基板に形成された取付孔に係合する係止爪がそれぞれ形成され、上記ボディは、上記一対の取付脚を器体側へ弾性変形可能とする切欠部が形成され、上記カバーは、取付基板側が開放された箱状であって、取付脚に対応する部位に器体の側面に沿う方向における取付脚の弾性変形可能な範囲を規制する切欠溝が形成されてなるものであり、取付脚を器体の側面に沿う方向以外に器体側へも弾性変形させることができるので、取付基板への取り付けに際して取付基板に形成された位置決め孔に対する取付孔の位置精度が悪い場合でも取付脚が弾性変形させることで器体を取付基板に容易に取り付けることができ、また、器体の寸法精度が悪く取付脚の位置が取付孔の位置に対してずれている場合にも、取付脚を弾性変形させることで器体を取付基板に容易に取り付けることができるという効果がある。
【００２６】
また、請求項１の発明は、上記器体は、取付基板側のボディと該ボディに結合されるカバーとからなり、上記取付脚はボディに設けられているので、カバーの寸法ばらつきに影響されることなしに器体を取付基板へ取り付けることができるという効果がある。
【００２７】
さらに、請求項１の発明は、上記カバーは、取付基板側が開放された箱状であって、取付脚に対応する部位に器体の側面に沿う方向における取付脚の弾性変形可能な範囲を規制する切欠溝が形成されているので、取付脚の破損を防止することが可能となるという効果がある。
【００２８】
請求項２の発明は、請求項１の発明において、上記器体の側面から突設され上記一対の取付脚の基端部同士を連結する連結片を備えるので、取付脚だけでなく連結片の弾性変形も利用でき、相対的に取付脚の変形量を小さくすることで、取付脚の破損を防止することが可能となるという効果がある。
【００２９】
請求項３の発明は、請求項１又は請求項２の発明において、上記取付脚は、器体を取付基板に取り付けた状態で取付基板における器体との対向面側で取付孔の周部に当接するがたつき防止用リブが側縁に突設されているので、器体を取付基板に取り付けた状態で上記一面に直交する方向における器体のがたつきを防止することができるという効果がある。
【図面の簡単な説明】
【図１】実施形態１の分解斜視図である。
【図２】同上の斜視図である。
【図３】実施形態２を示す斜視図である。
【図４】従来例を示す斜視図である。
【符号の説明】
１  器体
１０  ボディ
１５  連結片
１５ａ  取付脚
１５ｂ  係止爪
１５ｃ  がたつき防止用リブ
１８  切欠部
２０  カバー
２２  切欠溝
４０  取付基板
４１  取付孔
【図１】
0004218814.tif 000002
【図２】
0004218814.tif 000003
【図３】
0004218814.tif 000004
【図４】
0004218814.tif 000005